(57)【特許請求の範囲】
【請求項１】
(i)Ｄ２Ｄ通信のためのリソースプールのための複数のＣＰ長、および、(ii)上記複数のＣＰ長のそれぞれに対応する複数のサブフレームセットを設定する設定ユニットと、
設定された上記複数のＣＰ長、および、上記複数のＣＰ長のそれぞれに対応する設定された上記複数のサブフレームセットを示す情報を送信する送信ユニットと、
を備えることを特徴とする基地局。
【請求項２】
設定された上記複数のＣＰ長は、ＳＩＢまたは専用ＲＲＣ信号によって送信されることを特徴とする請求項１に記載の基地局。
【請求項３】
設定された上記複数のＣＰ長は、スケジューリング割当の送信またはデータ送信のために使用されることを特徴とする請求項１に記載の基地局。
【請求項４】
(i)Ｄ２Ｄ通信のためのリソースプールのための複数のＣＰ長設定、および、(ii)上記複数のＣＰ長設定のそれぞれに対応する複数のサブフレームセット設定を受信する受信ユニットと、
受信した上記複数のＣＰ長設定に基づき、上記リソースプールのための複数のＣＰ長を決定し、受信した上記複数のサブフレームセット設定に基づき、上記複数のＣＰ長のそれぞれに対応する複数のサブフレームセットを決定する決定ユニットと、
を備えることを特徴とする端末。
【請求項５】
上記複数のＣＰ長設定は、ＳＩＢまたは専用ＲＲＣ信号によって設定されていることを特徴とする請求項４に記載の端末。
【請求項６】
上記複数のＣＰ長は、スケジューリング割当の送信またはデータ送信のために使用されることを特徴とする請求項４に記載の端末。
【発明の詳細な説明】
【発明の詳細な説明】
【０００１】
〔技術分野〕
本発明は、全体的にモバイル通信分野に関する。具体的には、Ｄ２Ｄ通信システムにおいて異なるＣＰ長のＤ２Ｄ信号が共存している時の設定、および対応する干渉回避スキームに関する。
【０００２】
〔背景技術〕
端末間の直接通信（Ｄ２Ｄ：Ｄｅｖｉｃｅ  ｔｏ  Ｄｅｖｉｃｅ）技術は、二つの対等のユーザノード間で直接に通信する通信方式である。近年、直結通信技術の応用は、学術界で研究され続けている非セルラモードＡｄ  ｈｏｃにおけるＰ２Ｐ（Ｐｅｅｒ  ｔｏ  Ｐｅｅｒ）、および従来から莫大な潜在的ビジネスニーズを有している重要な応用、すなわち物のインターネット（ＩｏＴ）におけるＭ２Ｍ（Ｍａｃｈｉｎｅ  ｔｏ  Ｍａｃｈｉｎｅ）を含み、３ＧＰＰでは現在まだ規格化されていない分野において非常に重要なポイントとなる。端末直結通信型のユーザによって構成されるこの集中型または分散型ネットワークでは、各ユーザノードは何れも信号を送受信することができ、また、自動ルーティング（メッセージ転送）機能を有し得る。その通信を搬送するための物理リソースは、ネットワークによって設定されてもよく、直接通信を行う各通信端末間の競争によって獲得されてもよい。セルラシステム内のユーザ機器が基地局の中継を経ずに、直接に通信を行うことは革新的な思想である。移動通信環境における自然減衰特性、およびユーザの低級送信アンテナにより、直接に相互通信を行う二つのユーザ機器が比較的に小さな干渉領域を持つことは明らかである。このような状況において、物理的隔離（例えば信号減衰度）が一定のレベルに達している各ユーザは、互いに重大な干渉が起きずに、同じリソース（空間、時間、周波数、コードワード等）を共有することができる。直観的に見れば、各セルにおいて、かなりの数のユーザが直結通信を行うことが可能である。セルラネットワークにおいて直結通信技術を導入することは、システムリソースの空間多重化の效率を大きく高め、ネットワークリソースのスケジューリング圧迫を大幅に解消することができる。また、このような端末間の直接通信サービスは、ネットワークによる設定の下で行われているため、従来のセルラシステムにおいて効率的に空間インターフェースリソースを利用することを促進するのみならず、様々な物理的機器を該通信システムに取り入れることができ、３ＧＰＰセルラネットワークの枠内での物のインターネット、乗り物のインターネット（ＩｏＶ）などのサービスが実現可能になる。さらに、セルラサービスはセルラネットワークがカバーしているエリアのみに適用されるが、端末間の直結通信サービスは、ネットワークがカバーしていないエリアでも、基地局の補助無しに独立機能することができる。これにより、例えば災害エリア（例えば地震、洪水などによるネットワークのメルトダウン）に対するタイムリーな援助に有力な手段を提供することができ、既存セルラサービスへの有力な補足となる。これに鑑みて、３ＧＰＰは、端末間の直接通信の規格化を常に推進している。３ＧＰＰは、既に２０１３年の年初にマルタで開催されたＲＡＮ１第７２回会議において、端末間の直接通信技術に対する研究を決め、さらに２０１４年３月に福岡で開催されたＲＡＮ第６３回全体会議において、ＬＴＥ  Ｒｅｌ−１２における端末間の直接通信サービスを規格化する作業議題を可決した。ＬＴＥ  Ｒｅｌ−１２規格はＤ２Ｄサービスをサポートするものであるが、本発明は、ＣＰフォーマットの異なる信号の共存によるシンボル間干渉という、Ｄ２Ｄサービスでは回避できない課題を解決する。
【０００３】
〔発明内容〕
本発明は、Ｄ２Ｄ通信システムにおいて異なるＣＰ長のＤ２Ｄ信号が共存している時の干渉回避技術、および対応する物理層と上層設定とによる全体的メカニズム、並びに３ＧＰＰ標準化への該メカニズムによる影響について提案することを目的とする。また、本発明としては、異なるＣＰ長の共存による干渉を回避し、Ｄ２Ｄ通信において異なるＣＰ長の信号が共存している各場面に適用されるスキームを幾つか例示する。
【０００４】
具体的には、本発明は、Ｄ２Ｄサービスのスケジューリング時に異なるＣＰ長の信号が同一空間インターフェースに共存してシンボル間干渉を引き起こし、干渉された作業が正常に運行できないという課題に対し、幾つかのメカニズムを設計する。二種類のＣＰ長のＤ２Ｄ信号が共存している場合の設定スキームを具体的に開示する。各スキームには、それぞれ２〜４種類の採用可能なサブスキームが含まれている。スキーム１−１では、ネットワークは、セル内のすべてのユーザのＤ２Ｄチャネルに特定のＣＰフォーマットのリソースプールを割り当てる。スキーム１−２では、ネットワークは、各々のユーザのＤ２Ｄチャネルに特定のＣＰ長を設定する。スキーム２−１では、ネットワークは、各々のＤ２Ｄサブフレームに１つのＣＰ長を設定し、且つ、同一サブフレームにおいて、異なるＣＰ長の信号の多重化が許されない。スキーム２−２では、システムは、周期的にＣＰ長を設定し、該設定周期内のＮ個のＤ２Ｄサブフレームについて、ネットワークは、そのうちのＮ−Ｍ個のＤ２Ｄサブフレームにそれぞれ１つのＣＰ長を設定し、残りのＭ（Ｍ＝１，２，…）個のＤ２Ｄサブフレームについて、システムは、時間分割多重化方式を用い、異なるＣＰ長のＳＣ−ＦＤＭＡ／ＯＦＤＭシンボルを多重化する。中でも、最も典型的なスキームとして、システムは、ＳＣ−ＦＤＭＡ／ＯＦＤＭシンボルごとに、異なるＣＰ長を設定する。スキーム２−３では、システムは周期的にＣＰ長を設定し、該設定周期内のＮ個のＤ２Ｄサブフレームについて、ネットワークは、そのうちのＮ−Ｍ個のＤ２Ｄサブフレームにそれぞれ１つのＣＰ長を設定し、残りのＭ（Ｍ＝１，２，…）個のＤ２Ｄサブフレームについて、システムは、周波数分割多重化方式を用い、異なるＣＰ長のサブフレームを多重化する。その最も典型的なスキームとして、システムは該混合サブフレームのＰＲＢごとに、異なるＣＰ長を設定する。スキーム２−４では、システムは周期的にＣＰ長を設定し、該設定周期内のＮ個のＤ２Ｄサブフレームについて、ネットワークは、うちのＮ−Ｍ個のＤ２Ｄサブフレームにそれぞれ１つのＣＰ長を設定し、残りのＭ個のＤ２Ｄサブフレームについて、システムは、時間分割多重化＆周波数分割多重化方式を用い、異なるＣＰ長のサブフレームを多重化する。その最も典型的なスキームとして、システムは該混合サブフレーム内のＳＣ−ＦＤＭＡ／ＯＦＤＭシンボルごとに、または各シンボルグループ内のサブキャリアセットごとに、異なるＣＰ長を設定する。スキーム２−５では、ネットワークは、割り当てられた各々の時間−周波数分割多重化物理リソースセットに１つのＣＰ長を設定する。
【０００５】
また、以上のスキーム１−１、スキーム１−２、スキーム２−１、スキーム２−２、スキーム２−３、スキーム２−５は、以下の物理層でのプロセスに関連する。
１．スキーム１−１、スキーム１−２について
ネットワークは、高位層シグナリングを用い、Ｄ２Ｄ送信器端末およびＤ２Ｄ受信器端末に通知されるべき上述した設定を行ってもよい。該設定に関連するＤ２Ｄ送信端末については、その対応するサブフレームセット上で送信されるＤ２Ｄ信号に、ネットワークによって設定されたＣＰフォーマットが用いられる。該設定に関連するＤ２Ｄ受信端末については、ネットワーク通知から得られたＣＰフォーマットを用いて、対応する受信信号検出処理を行う。
２．スキーム２−１について
ネットワークは、高位層シグナリングを用い、Ｄ２Ｄ送信器端末およびＤ２Ｄ受信器端末に通知されるべき上述した設定を行ってもよい。該設定に関連するＤ２Ｄ送信器端末については、その対応するサブフレームセット上で送信されるＤ２Ｄ信号に、ネットワークによって設定されたＣＰフォーマットを用いる。該設定に関連するＤ２Ｄ受信端末については、ネットワーク通知から得られたＣＰフォーマットを用いて、対応する受信信号検出処理を行う。つまり、ＣＰフォーマットによって区分されたこれらサブフレームセットについて、Ｄ２Ｄ送信端末でもＤ２Ｄ受信端末でも、そのＤ２Ｄ送受信動作は、対応する当該サブフレームまたはサブフレームセットへ設定されたＣＰフォーマットによって制限される。
３．スキーム２−２、スキーム２−３、スキーム２−４、スキーム２−５について
高位層ＲＲＣシグナリングまたはＤＣＩを用い、長ＣＰのサブフレームセット、短ＣＰのサブフレームセット、混合サブフレームのサブフレーム番号およびその対応する混合サブフレームの設定情報を設定する必要がある。もちろん、対応する混合サブフレームの設定情報は、ＲＲＣによって通知され、またはＳＡチャネルで告知される。
４．レートマッチング
混合サブフレームにおいて短ＣＰと長ＣＰとで多重化されるときにＴＤＭ方式による多重化を用いる場合、対応するレートマッチングの形式を修正する必要がある。
５．スキーム２−２について
長ＣＰ、短ＣＰが時間分割多重化の形式で共存している混合サブフレーム、およびスキーム２−２、スキーム２−３、スキーム２−４について
例えば、長ＣＰおよび短ＣＰが周波数分割多重化の形式で共存している混合サブフレームに対して、システムは、ＲＲＣシグナリングを用い、当該１種類のＣＰサブフレームセットに対応するリソース、および混合サブフレームに対応する設定を告知する。
【０００６】
以上をまとめると、本発明は、デバイス・トゥ・デバイス（Ｄ２Ｄ）通信のリソースに対してサイクリックプレフィックス（ＣＰ：Ｃｙｃｌｉｃ  Ｐｒｅｆｉｘ）の設定を行う方法、および対応する基地局を提供する。上記方法では、基地局が、異なるリソースサブセットに対して、長ＣＰ信号フォーマットおよび短ＣＰ信号フォーマットを含むＣＰフォーマットを設定するステップと、Ｄ２Ｄ送信機器のＤ２Ｄ発見チャネルのリソースプールに用いるＣＰフォーマットの設定と、Ｄ２Ｄ送信機器のＤ２Ｄ通信チャネルのリソースプールに用いるＣＰフォーマットの設定とを含む上記設定を、基地局がＤ２Ｄ送信機器およびＤ２Ｄ受信機器に通知するステップとを含む。また、上記Ｄ２Ｄ送信機器および上記Ｄ２Ｄ受信機器は、上記リソースサブセットにおいて、上記設定に合致するＣＰフォーマットで送信および受信を行う。
【０００７】
上記設定は、高位層ＲＲＣシグナリング、ＳＩＢメッセージまたはＤＣＩによって通知される。
【０００８】
具体的には、スキーム１−１として、基地局が、異なるリソースサブセットに対してＣＰフォーマットを設定するステップは、各Ｄ２Ｄチャネルが占用するリソースプールと、該リソースプールに対応するＣＰフォーマットとを、基地局が設定するステップを含む。基地局がＤ２Ｄ送信機器およびＤ２Ｄ受信機器に上記設定を通知するステップは、各Ｄ２Ｄチャネルのリソースプールに含まれる時間−周波数リソースと、該リソースプールに対応するＣＰフォーマットとを、基地局が通知するステップを含む。
【０００９】
スキーム１−２として、基地局が、異なるリソースサブセットに対してＣＰフォーマットを設定するステップは、各Ｄ２Ｄチャネルに割り当てられた、当該Ｄ２Ｄチャネルに対応する短ＣＰリソースプールと、当該Ｄ２Ｄチャネルに対応する長ＣＰリソースプールとを、基地局が設定するステップを含む。基地局がＤ２Ｄ送信機器およびＤ２Ｄ受信機器に上記設定を通知するステップは、各Ｄ２Ｄ端末に、そのＤ２ＤチャネルのＣＰフォーマットと、当該セル内の当該Ｄ２Ｄ端末に対応するＣＰフォーマットのＤ２Ｄチャネルが占用するリソースプールとを、基地局が通知するステップを含む。
【００１０】
スキーム２−１として、基地局が、異なるリソースサブセットに対してＣＰフォーマットを設定するステップは、２つのサブフレームセットと、各サブフレームセットにそれぞれ用いる異なるＣＰフォーマットとを基地局が設定するステップを含む。基地局がＤ２Ｄ送信機器およびＤ２Ｄ受信機器に上記設定を通知するステップは、基地局が、上記２つのサブフレームセットに含まれる時間−周波数リソースと、２つのサブフレームセットに対応する異なるＣＰフォーマットとを通知するステップを含む。
【００１１】
スキーム２−２として、基地局が、異なるリソースサブセットに対してＣＰフォーマットを設定するステップは、２つのサブフレームセットおよび１つ若しくは２つの混合サブフレームと、上記２つのサブフレームセットにそれぞれ用いる異なるＣＰフォーマットと、上記１つ若しくは２つの混合サブフレームについて、異なるＣＰフォーマットを如何に時間分割多重化方式において用いるかと、を基地局が設定するステップが含む。基地局がＤ２Ｄ送信機器およびＤ２Ｄ受信機器に上記設定を通知するステップは、上記２つのサブフレームセットに含まれる時間−周波数リソースと、２つのサブフレームセットに対応する異なるＣＰフォーマットと、上記１つ若しくは２つの混合サブフレームのサブフレーム番号と、上記１つ若しくは２つの混合サブフレーム内の、異なるＣＰフォーマット信号に対応するＳＣ−ＦＤＭＡ／ＯＦＤＭシンボルの数および位置と、を基地局が通知するステップを含む。
【００１２】
スキーム２−３として、基地局が、異なるリソースサブセットに対してＣＰフォーマットを設定するステップは、２つのサブフレームセットおよび１つ若しくは２つの混合サブフレームと、上記２つのサブフレームセットにそれぞれ用いる異なるＣＰフォーマットと、上記１つ若しくは２つの混合サブフレームについて、異なるＣＰフォーマットを如何に周波数分割多重化方式において用いるかと、を基地局が設定するステップを含む。基地局がＤ２Ｄ送信機器およびＤ２Ｄ受信機器に上記設定を通知ステップことは、上記２つのサブフレームセットに含まれる時間−周波数リソースと、２つのサブフレームセットに対応する異なるＣＰフォーマットと、上記１つ若しくは２つの混合サブフレームのサブフレーム番号と、上記１つ若しくは２つの混合サブフレーム内の、異なるＣＰフォーマット信号に対応する物理リソースブロックの数、位置およびパワー情報と、上記混合サブフレーム内のガードバンドが占用する物理リソースブロックの数および位置と、を基地局が通知するステップを含む。
【００１３】
スキーム２−４として、基地局が、異なるリソースサブセットに対してＣＰフォーマットを設定するステップは、２つのサブフレームセットおよび１つ若しくは２つの混合サブフレームと、上記２つのサブフレームセットにそれぞれ用いる異なるＣＰフォーマットと、上記１つ若しくは２つの混合サブフレームについて、異なるＣＰフォーマットを如何に時間分割多重化方式および周波数分割多重化方式において用いるかと、を基地局が設定するステップを含む。基地局がＤ２Ｄ送信機器およびＤ２Ｄ受信機器に上記設定を通知するステップは、上記２つのサブフレームセットに含まれる時間−周波数リソースと、２つのサブフレームセットに対応する異なるＣＰフォーマットと、上記１つ若しくは２つの混合サブフレームのサブフレーム番号と、上記１つ若しくは２つの混合サブフレーム内のＳＣ−ＦＤＭＡ／ＯＦＤＭシンボルグループの数と、各々のＳＣ−ＦＤＭＡ／ＯＦＤＭシンボルグループ内の、異なるＣＰフォーマット信号に対応するＳＣ−ＦＤＭＡ／ＯＦＤＭシンボルおよびサブキャリアの数、位置並びにパワー情報と、上記混合サブフレーム内の同一ＳＣ−ＦＤＭＡ／ＯＦＤＭシンボルグループ内の、ガードバンドが占用するサブキャリアの数および位置とを、基地局が通知するステップを含む。
【００１４】
スキーム２−５として、基地局が、異なるリソースサブセットに対してＣＰフォーマットを設定するステップは、２つの時間−周波数物理リソースセットと、上記２つの時間・周波数物理リソースセットにそれぞれ用いる異なるＣＰフォーマットとを基地局が設定するステップを含む。基地局がＤ２Ｄ送信機器およびＤ２Ｄ受信機器に上記設定を通知するステップは、上記２つの時間−周波数物理リソースセットに含まれる時間−周波数リソースと、上記２つの時間−周波数物理リソースセットに対応する異なるＣＰフォーマット、パワー情報および対応するガードバンドの位置と、を基地局が通知するステップを含む。
【００１５】
〔図面の簡単な説明〕
以下、図面を用いて本発明の好ましい実施例を説明することにより、本発明の上記および他の目的、特徴、優れた点はさらに明らかになる。
図１は、基地局が当該セル内のすべてのユーザのＤ２Ｄチャネルへ特定のＣＰフォーマットのリソースプールを割り当てる本発明のスキーム１−１に係るサブフレームの模式図である。
図２は、基地局が当該セル内の何らかのユーザのＤ２Ｄチャネルへ特定のＣＰフォーマットのリソースプールを割り当てる本発明のスキーム１−２に係るサブフレームの模式図である。
図３は、サブフレームセット別でＣＰフォーマットを設定する本発明のスキーム２−１に係るサブフレームの模式図であり、各ＣＰフォーマットのサブフレームセットにおけるサブフレームが連続している。
図４は、サブフレームセット別でＣＰフォーマットを設定する本発明のスキーム２−１に係るサブフレームの模式図であり、各ＣＰフォーマットのサブフレームセットにおけるサブフレームが連続していない。
図５は、サブフレームセット別でＣＰフォーマットを設定する本発明のスキーム２−２に係るサブフレームの模式図である。
図６は、サブフレームセット別でＣＰフォーマットを設定する本発明のスキーム２−３に係るサブフレームの模式図である。
図７は、サブフレームセット別でＣＰフォーマットを設定する本発明のスキーム２−４に係るサブフレームの模式図であり、混合サブフレームにはシンボルグループが２つ含まれる。
図８は、サブフレームセット別でＣＰフォーマットを設定する本発明のスキーム２−４に係るサブフレームの模式図であり、混合サブフレームにはシンボルグループが５つ含まれる。
図９は、時間−周波数物理リソースセット別でＣＰフォーマットのサブフレームとＰＲＢの形態とを設定する本発明のスキーム２−５を示す図である。
図１０は、デバイス・トゥ・デバイス（Ｄ２Ｄ）通信のリソースについてＣＰ設定を行う本発明に係る方法を示すフローチャートである。
図１１は、本発明に係る基地局の構成を示しているイメージ図である。
【００１６】
〔具体的な実施形態〕
以下、図面を参照しながら、本発明の好ましい実施例を詳細に説明する。説明の中では、本発明に対する理解の混同を避けるように、本発明にとって必要でない細部および機能を省略している。
【００１７】
まず、図１〜９を参照しながら、本発明が提案した、二種類のＣＰ長のＤ２Ｄ信号が共存する場合の設定スキーム１−１〜２−５を説明する。
【００１８】
＜実施形態１−１＞
実施形態１−１として、基地局は特定種類のＤ２Ｄチャネルごとに、
（１）該Ｄ２Ｄチャネルが占用するリソースプールと、
（２）該Ｄ２Ｄチャネルが占用するリソースプールのＣＰフォーマットとを含むサブリソースプールおよびそのＣＰフォーマットを、セミパーシステント的に設定する。
【００１９】
該スキームにおけるサブフレーム構成は、図１のように、基地局が、当該セル内のすべてのユーザのＤ２Ｄチャネルへ特定のＣＰフォーマットのリソースプールを割り当てる。
【００２０】
したがって、基地局は、ＲＲＣシグナリングを用いて、Ｄ２Ｄ端末にその設定されたサブフレームセットを通知するとともに、該サブフレームセットのＣＰ長を通知する必要がある。そのため、基地局によるサブフレームセット設定方式のシグナリングには、
（１）本セル内のすべてのＤ２Ｄユーザのうち、Ｄ２ＤチャネルＡのリソースプールが占めている時間−周波数リソース、および該リソースプールのＣＰ設定フォーマット、
（２）本セル内のすべてのＤ２Ｄユーザのうち、Ｄ２ＤチャネルＢのリソースプールが占めている時間−周波数リソース、および該リソースプールのＣＰ設定フォーマット、
（３）本セル内のすべてのＤ２Ｄユーザのうち、Ｄ２ＤチャネルＣのリソースプールが占めている時間−周波数リソース、および該リソースプールのＣＰ設定フォーマット、
（４）本セル内のすべてのＤ２Ｄユーザのうち、Ｄ２ＤチャネルＤのリソースプールが占めている時間−周波数リソース、および該リソースプールのＣＰ設定フォーマットなどが含まれる。
【００２１】
図１の示したように、該スキームでは、基地局がＤ２Ｄチャネルごとに、統一された唯一のＣＰフォーマットを設定する。異なるＤ２Ｄ端末に対応するＤ２Ｄチャネル上の信号は、本セルにおける当該Ｄ２Ｄチャネルへ設定されたリソースプール内においてスケジューリングされる。また、該基地局のカバレッジ内のすべてのＤ２Ｄモード１端末には、基地局によって該チャネルへ設定されたＣＰフォーマットを用いる。例えば、該セル内のすべてのＤ２Ｄ端末の発見チャネル（ｄｉｓｃｏｖｅｒｙ  ｃｈａｎｎｅｌ）に、リソースプールと、該チャネルのリソースプールの、統一された唯一のＣＰフォーマットとを設定する。或いは、１つのＤ２Ｄ端末のリソース割り当てチャネル（ＳＡ  Ｃｈａｎｎｅｌ）に、リソースプールと、該チャネルのリソースプールの、統一された唯一のＣＰフォーマットとを設定する。
【００２２】
但し、該スキーム１−１では、基地局は、当該セル内の各Ｄ２Ｄユーザについて多重化されるＤ２Ｄチャネルごとに特定のＣＰフォーマットを振り分け、該Ｄ２Ｄチャネルに割り当てられるリソースプールは、他のＤ２Ｄチャネルのリソースプールとの間で、ＴＤＭ方式で時間分割多重化されるか、ＦＤＭ方式で周波数分割多重化されるか、ＴＤＭ＆ＦＤＭ方式で多重化される。上記いずれの多重化方式の場合も、基地局がＤ２Ｄチャネルごとにリソースプールに対して特定のＣＰフォーマットを決定する構成であれば、本発明の特許請求の範囲に属する。
【００２３】
さらに、該実施形態は、二種類の設定スキームによって実現できる。一つ目の設定スキームでは、上述のように、同一セル内の同種類のＤ２Ｄチャネルに、該セル内において統一されたＣＰフォーマットを用いる。二つ目の設定スキームでは、同一セル内の同種類のＤ２Ｄチャネルのリソースプールに、異なるＣＰフォーマットを用いた２つのリソースプールサブセットが含まれており、各ユーザの該Ｄ２Ｄチャネルが、いずれか１つのＣＰフォーマットのリソースプールサブセット上に搬送される。また、同一ユーザのＤ２Ｄチャネルが、異なるフォーマットのリソースプールサブセットにまたがって搬送されることが許されない。
【００２４】
実施形態１−１は、以下の物理層でのプロセスに関連する。
すわわち、ネットワークが、高位層ＲＲＣシグナリングまたはＳＩＢメッセージブロードキャストを用いて、上述した設定、例えば、当該セル内の各Ｄ２Ｄチャネルのリソースプール、およびセル内の各々のＤ２ＤチャネルのＣＰフォーマットを設定してもよい。該メッセージがセル全範囲内で共通するため、これらの設定はブロードキャスト方式または他の方式によってＤ２Ｄ送信器端末とＤ２Ｄ受信器端末に通知される。
【００２５】
上記設定に関連するＤ２Ｄ送信端末については、その対応するリソースプール上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。つまり、これら特定のＣＰフォーマットのリソースプールについて、Ｄ２Ｄ送信端末でもＤ２Ｄ受信端末でも、そのＤ２Ｄ送受信動作は、対応する当該サブフレームまたはサブフレームセットへ設定されたＣＰフォーマットによって制限される。
【００２６】
＜実施形態１−２＞
実施形態１−２について、基地局は特定種類のＤ２Ｄチャネルごとに、
（１）本セル内のＤ２Ｄチャネルに割り当てられる短ＣＰリソースプールと、
（２）本セル内のＤ２Ｄチャネルに割り当てられる長ＣＰリソースプールとを含むサブリソースプールおよびそのＣＰフォーマットを、セミパーシステント的に設定する。
【００２７】
該スキームのサブフレーム構成は、図２のように、基地局が、該セル内のユーザのＤ２Ｄチャネルへ特定のＣＰフォーマットのリソースプールを割り当てる。
【００２８】
したがって、基地局は、ＲＲＣシグナリングを用いて、Ｄ２Ｄ端末にその設定されたサブフレームセットを通知するとともに、該サブフレームセットのＣＰ長を通知する必要がある。そのため、基地局によるサブフレームセット設定方式のシグナリングには、
（１）本セルのＤ２ＤチャネルＡにおける短ＣＰリソースプールが占めている時間−周波数リソース、および該リソースプールのＣＰ設定フォーマット、
（２）本セルのＤ２ＤチャネルＡにおける長ＣＰリソースプールが占めている時間−周波数リソース、および該リソースプールのＣＰ設定フォーマット、
（３）本セルのＤ２ＤチャネルＢにおける短ＣＰリソースプールが占めている時間−周波数リソース、および該リソースプールのＣＰ設定フォーマット、
（４）本セルのＤ２ＤチャネルＢにおける長ＣＰリソースプールが占めている時間−周波数リソース、および該リソースプールのＣＰ設定フォーマットなどが含まれる。
【００２９】
図２の示したように、該スキームでは、基地局が各Ｄ２Ｄ端末のＤ２Ｄチャネルごとに特定のＣＰフォーマットを設定する。異なるＤ２Ｄ端末に対応するＤ２Ｄチャネル上の信号は、本セルにおける当該Ｄ２Ｄチャネルへ設定された短ＣＰリソースプールまたは長ＣＰリソースプール内においてスケジューリングされる。また、該基地局のカバレッジ内のすべてのＤ２Ｄモード１端末には、基地局によって当該Ｄ２Ｄ端末の当該Ｄ２Ｄチャネルへ設定されたＣＰフォーマットを用いる。例えば、該セル内のすべてのＤ２Ｄ端末の発見チャネル（ｄｉｓｃｏｖｅｒｙ  ｃｈａｎｎｅｌ）に、発見チャネルにおける短ＣＰリソースプール、および発見チャネルにおける長ＣＰリソースプールを割り当て、Ｄ２Ｄ端末の発見チャネルが、該セル内の発見チャネルにおける短ＣＰリソースプール、または発見チャネルにおける長ＣＰリソースプールの何れか一方上に搬送されてもよい。或いは、Ｄ２Ｄ端末のリソース割り当てチャネル（ＳＡ  Ｃｈａｎｎｅｌ）に、リソース割り当てチャネルにおける短ＣＰリソースプール、およびリソース割り当てチャネルにおける長ＣＰリソースプールを割り当て、Ｄ２Ｄ端末のリソース割り当てチャネルが、該セル内のリソース割り当てチャネルにおける短ＣＰリソースプール、またはリソース割り当てチャネルにおける長ＣＰリソースプールの何れか一方上に搬送されてもよい。
【００３０】
但し、該スキーム１−２では、基地局は各Ｄ２Ｄ端末のＤ２Ｄチャネルごとに特定のＣＰフォーマットを振り分け、該Ｄ２Ｄチャネルにおける短（または長）ＣＰリソースプールは、当該セルにおける各ＣＰフォーマットの当該チャネルのＤ２Ｄユーザについて多重化され、該Ｄ２Ｄチャネルに割り当てられる短（または長）ＣＰリソースプールは、該Ｄ２Ｄチャネルに割り当てられる長（または短）ＣＰリソースプールまたは他のＤ２Ｄチャネルのリソースプールとの間で、ＴＤＭ方式で時間分割多重化されるか、ＦＤＭ方式で周波数分割多重化されるか、ＴＤＭ＆ＦＤＭ方式で多重化される。上記いずれの多重化方式の場合も、基地局がＤ２Ｄチャネルごとにリソースプールに対して特定のＣＰフォーマットを決定する構成であれば、本発明の特許請求の範囲に属する。
【００３１】
さらに、該実施形態は、以下の設定スキームによって実現できる。すなわち、当該セル内の各ユーザの特定のＤ２Ｄチャネルが、該セル内において、当該Ｄ２Ｄチャネルに対する１組のＣＰフォーマット型リソースプール（該Ｄ２Ｄチャネルにおける短ＣＰリソースプール、または該Ｄ２Ｄチャネルにおける長ＣＰリソースプール）へ設定される。つまり、該セル内のユーザのチャネルは、そのチャネルリソースプール内のサブセット１またはサブセット２の何れか一方へしか割り当てられない。また、同一ユーザの同種類のチャネルについて、リソースプールのサブセット１または２にまたがってリソースを割り当てることが許されない。
【００３２】
実施形態１−２は、以下の物理層でのプロセスに関連する。
すなわち、ネットワークが、高位層ＲＲＣシグナリングまたはＳＩＢメッセージブロードキャストを用いて、上述した設定、例えば、当該セル内の各Ｄ２Ｄチャネルのリソースプール、およびセル内の各々のＤ２ＤチャネルのＣＰフォーマットを設定してもよい。該メッセージがセル全範囲内で共通するため、これらの設定はブロードキャスト方式または他の方式でＤ２Ｄ送信器端末とＤ２Ｄ受信器端末に通知される。
【００３３】
上記設定に関連するＤ２Ｄ送信端末については、その対応するリソースプール上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。つまり、これら特定のＣＰフォーマットのリソースプールについて、Ｄ２Ｄ送信端末でもＤ２Ｄ受信端末でも、そのＤ２Ｄ送受信動作は、対応する当該サブフレームまたはサブフレームセットへ設定されたＣＰフォーマットによって制限される。
【００３４】
＜実施形態２−１＞
実施形態２−１として、基地局は、Ｄ２Ｄ通信チャネルおよびＤ２Ｄ発見チャネルに、
（１）短ＣＰを用いるサブフレームセットと、
（２）長ＣＰを用いるサブフレームセットとを含むサブフレームセットを、セミパーシステント的に設定する。
【００３５】
したがって、基地局は、ＲＲＣシグナリングを用いて、Ｄ２Ｄ端末にその設定されたサブフレームセットを通知するとともに、これらＤ２Ｄ端末に対応するサブフレームセットのＣＰ長を通知する必要がある。そのため、基地局によるサブフレームセット設定方式のシグナリングには、
（１）サブフレームセット１の時間−周波数リソース、および該サブフレームセットのＣＰ設定フォーマットと、
（２）サブフレームセット２の時間−周波数リソース、および該サブフレームセットのＣＰ設定フォーマットとを含む。
【００３６】
但し、各種ＣＰフォーマットのサブフレームセット内のサブフレームは、図３のように連続していても、図４のように連続しなくてもよい。
【００３７】
基地局によるサブフレームセット設定方式のシグナリングは、上記（１）、（２）の何れか一方、または両方であってもよい。
【００３８】
該シグナリングは、基地局から専用ＲＲＣシグナリングの形でＤ２Ｄ端末に送信され、またはＳＩＢメッセージの形でブロードキャストされる。好適な選択として、Ｄ２Ｄ規範において、新しいＳＩＢフォーマットを定義することによって該情報を伝送してもよい。
【００３９】
また、該実施形態は、三つの設定スキームによって実現できる。一つ目の設定スキームは、本セル内のすべてのＤ２Ｄチャネルを共通的に設定するために用いられ、すなわち、各チャネルのそれぞれに、時間−周波数物理リソースブロックセット１および時間−周波数物理リソースブロックセット２の何れか一方しか割り当てられない。二つ目の設定スキームは、例えば、本セルのすべてのＤ２Ｄ端末の発見チャネルに、サブフレームセットおよび該サブフレームセットのＣＰフォーマットを設定し、あるいは、本セルのすべてのＤ２Ｄ端末のリソース割り当てチャネル（ＳＡ  Ｃｈａｎｎｅｌ）に、サブフレームセットおよび該サブフレームセットのＣＰフォーマットを設定し、あるいは、本セルのすべてのＤ２Ｄ携帯電話のＤ２Ｄ伝送チャネルに、時間−周波数物理リソースブロックセットおよび該時間−周波数物理リソースブロックセットのＣＰフォーマットを設定するなど、専ら本セル内のすべてのＤ２Ｄ端末の各Ｄ２Ｄチャネルについて設定するために用いられる。三つ目の設定スキームは、専ら本セル内の各Ｄ２Ｄ端末の各Ｄ２Ｄチャネルについて設定するために用いられ、例えば、本セルのＤ２Ｄ端末の発見チャネルに、サブフレームセットおよび該サブフレームセットのＣＰフォーマットを設定し、あるいは、本セルのＤ２Ｄ端末のリソース割り当てチャネル（ＳＡ  Ｃｈａｎｎｅｌ）に、サブフレームセットおよび該サブフレームセットのＣＰフォーマットを設定し、あるいは、本セルのＤ２Ｄ携帯電話のＤ２Ｄ伝送チャネルに、時間−周波数物理リソースブロックセットおよび該時間−周波数物理リソースブロックセットのＣＰフォーマットを設定する。つまり、１つのＤ２Ｄ端末のＤ２Ｄチャネルが、当該セル内の該Ｄ２Ｄチャネルにおける、異なる二種類のＣＰフォーマットのリソースプールの何れか一方へしか設定されない。また、１つのＤ２Ｄ端末のＤ２Ｄチャネルが、異なるＣＰフォーマットのリソースプールに同時にまたがって搬送されることは許されない。
【００４０】
なお、Ｄ２Ｄ送信器に関しては、その信号送信に用いられるリソースが上記設定によるサブフレームセットから選択され、同時に、そのＣＰフォーマットが上記設定に完全に従う。
【００４１】
上記設定に関連するＤ２Ｄ送信端末については、その対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。ｅＮＢは、Ｄ２Ｄ送信端末および受信端末に、これらサブフレームセットおよびそのＣＰフォーマットの設定情報、特に、例えばＳＡチャネルやＤ２Ｄ同期チャネル等の肝心なチャネルのサブフレームセットの性質を通知し、それぞれ必要なカバー要求を満してもよい。
【００４２】
スキーム２−１において、設定されるサブフレームセットとしては、図３のように連続するサブフレームを選択してもよく、図４のように連続しないサブフレームを選択してもよい。
【００４３】
実施形態２−１は、以下の物理層でのプロセスに関連する。
すなわち、ネットワークが、高位層シグナリングを用いて、Ｄ２Ｄ送信器端末とＤ２Ｄ受信器端末に通知されるべき上述した設定を行ってもよい。
【００４４】
上記設定に関連するＤ２Ｄ送信端末については、その対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。つまり、ＣＰフォーマットによって区分されたこれらサブフレームセットについて、Ｄ２Ｄ送信端末でもＤ２Ｄ受信端末でも、そのＤ２Ｄ送受信動作は、対応する当該サブフレームまたはサブフレームセットへ設定されたＣＰフォーマットによって制限される。
【００４５】
該実施形態２−１では、Ｄ２Ｄとセルラネットワークとが同一サブフレームに共存することができないため、最大負荷時であっても、通常には、Ｄ２Ｄデータもセルラネットワークのデータも、如何なるリソースも無駄にせずに同タイプのデータに係る全サブフレームを完全に占めることはない。一方、以下の実施形態２−１〜２−５はリソースの利用率を最大にすることができる。
【００４６】
＜実施形態２−２＞
該実施形態では、基地局は、Ｄ２Ｄ通信チャネルおよびＤ２Ｄ発見チャネルに、
（１）短ＣＰを用いるサブフレームセット１と、
（２）長ＣＰを用いるサブフレームセット２と、
（３）１つまたは２つの長ＣＰ信号、短ＣＰ信号がＴＤＭの形式で共存しているサブフレームとを含むサブフレームセットを、セミパーシステント的に設定する。
【００４７】
該実施形態におけるサブフレームの構成は図５の通りである。なお、
【数１】
0006527530.tif 000002
は、異なるＣＰフォーマットの信号が完全にＴＤＭ方式で同一サブフレーム内に共存している混合サブフレーム内の短ＣＰシンボルの数を示す。このパラメータは、例えばＤ２Ｄ送信器のレートマッチング等のような対応操作を行いやすいように、ネットワークによってＤ２Ｄ端末へ設定される必要がある。
【００４８】
したがって、基地局は、ＲＲＣシグナリングを用いて、Ｄ２Ｄ端末にその設定されたサブフレームセットを通知するとともに、これらＤ２Ｄ端末に対応するサブフレームセットのＣＰ長を通知する必要がある。そのため、基地局によるサブフレームセット設定方式のシグナリングには、
（１）サブフレームセット１の時間−周波数リソース、および該サブフレームセットのＣＰ設定フォーマットと、
（２）サブフレームセット２の時間−周波数リソース、および該サブフレームセットのＣＰ設定フォーマットと、
（３）長ＣＰ信号および短ＣＰ信号が共存しているサブフレームのサブフレーム番号と、対応する長ＣＰまたは短ＣＰ信号のＳＣ−ＦＤＭＡ／ＯＦＤＭシンボルの数および対応位置とを含む。例えば、簡略化された実施例において、規範として長ＣＰシンボルおよび短ＣＰシンボルの相対的な固定位置（例えば、短ＣＰシンボルが前に、長ＣＰシンボルが後に）を決めると共に、規範として、長ＣＰ、短ＣＰが位置するシンボルをそれぞれ連続させる。また、該混合サブフレーム内の最後の短ＣＰシンボルのシリアルナンバーがネットワークによって設定される。
【００４９】
但し、長ＣＰまたは短ＣＰ信号がＴＤＭ多重化された混合サブフレームは、長、短ＣＰが位置するシンボルがそれぞれ間隔無く連続している場合には、時間領域上において、長ＣＰシンボルと短ＣＰシンボルとの間にサンプリングポイントの間隔が若干現れる。短ＣＰが前に、長ＣＰが後ろに存在し、且つ短ＣＰシンボル同士間に間隔がない場合（長ＣＰも同様）を例に説明すると、短ＣＰシンボルと長ＣＰシンボルとの間の時間間隔の長さは、サブフレーム１個分の持続時間からすべての長ＣＰシンボルの時間長さを引いた差分から、短ＣＰ１個分の時間長さを減らしたものであってもよい。
【００５０】
基地局によるサブフレームセット設定方式のシグナリングは、上記（１）、（２）、（３）の三種類のサブフレームまたはサブフレームセットの任意の組合せである。
【００５１】
但し、このような設定は、各種の短ＣＰ、長ＣＰ信号が同一サブフレームに共存している場合、例えば、セルラネットワークのデータとＤ２Ｄデータとが、異なるＣＰフォーマットで同一サブフレームに共存する場合、または、異なるＤ２Ｄユーザ（ペア）のデータが、異なるＣＰフォーマットで同一サブフレームに存在する場合に適すものとする。
【００５２】
該シグナリングは、基地局から専用ＲＲＣシグナリングの形でＤ２Ｄ端末に送信され、またはＳＩＢメッセージの形でブロードキャストされる。
【００５３】
また、該実施形態は、三つの設定スキームによって実現できる。一つ目の設定スキームは、該セル内のすべてのＤ２Ｄチャネルを共通的に設定するために用いられ、すなわち、該セルのすべてのチャネルが、サブフレームセット１および混合サブフレーム内の短ＣＰリソースと、サブフレームセット２及混合サブフレーム内の長ＣＰリソースとのうち何れか一方へしか割り当てられない。二つ目の設定スキームは、専ら各Ｄ２Ｄチャネルについて設定するために用いられ、例えば、Ｄ２Ｄ端末の発見チャネルにサブフレームセットおよび該サブフレームセットのＣＰフォーマットを設定し、あるいは、Ｄ２Ｄ端末のリソース割り当てチャネル（ＳＡ  Ｃｈａｎｎｅｌ）にサブフレームセットおよび該サブフレームセットのＣＰフォーマットを設定する。三つ目の設定スキームは、当該セル内の各ユーザの特定のＤ２ＤチャネルにＣＰフォーマットを１組設定し、すなわち、該セルのユーザのチャネルが、該チャネルのリソースプールのサブフレームセット１および混合サブフレーム内の短ＣＰリソースと、サブフレームセット２および混合サブフレーム内の長ＣＰリソースとのうち何れか一方へしか割り当てられない。また、同一ユーザの同種類のチャネルについて、リソースプールのサブフレームセット１または２にまたがってリソースを割り当てることが許されない。
【００５４】
なお、Ｄ２Ｄ送信器に関しては、その信号送信に用いられるリソースが、上記設定によるサブフレームセットから選択され、同時に、そのＣＰフォーマットが上記設定に完全に従う。
【００５５】
上記設定に関連するＤ２Ｄ送信端末については、その対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。
【００５６】
実施形態２−２は、以下の物理層でのプロセスに関連する。
すなわち、ネットワークが、高位層ＲＲＣシグナリング（または、ＤＣＩによって設定された一部のシグナリング）を用いて、上述した設定、例えば、長ＣＰのサブフレームセットと、短ＣＰのサブフレームセットと、混合サブフレームのサブフレーム番号およびその対応する混合サブフレーム内設定情報（長ＣＰ（または短ＣＰ）シンボルセット等を含む。なお、混合サブフレーム内の情報は、Ｄ２Ｄ端末送信器のレートマッチング等の動作に供される。）とを設定してもよい。もちろん、対応する混合サブフレーム設定情報はＲＲＣによって通知され、またはＳＡチャネルで告知される。これらの設定は、Ｄ２Ｄ送信器端末とＤ２Ｄ受信器端末に通知される。
【００５７】
上記設定に関連するＤ２Ｄ送信端末については、その対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。つまり、ＣＰフォーマットによって区分されたこれらサブフレームセットについて、Ｄ２Ｄ送信端末でもＤ２Ｄ受信端末でも、そのＤ２Ｄ送受信動作は、対応する当該サブフレームまたはサブフレームセットへ設定されたＣＰフォーマットによって制限される。
【００５８】
＜実施形態２−３＞
該実施形態では、基地局は、Ｄ２Ｄ通信チャネルおよびＤ２Ｄ発見チャネルに、
（１）短ＣＰを用いるサブフレームセット１と、
（２）長ＣＰを用いるサブフレームセット２と、
（３）１つまたは２つの長ＣＰ信号、短ＣＰ信号がＦＤＭ形式で共存しているサブフレームとを含むサブフレームセットを、セミパーシステント的に設定する。
【００５９】
該実施形態におけるサブフレームの構成は図６の通りである。なお、
【数２】
0006527530.tif 000003
@0002
は、異なるＣＰフォーマットの信号が完全にＴＤＭ方式で同一サブフレーム内に共存している混合サブフレーム内の、短ＣＰ信号のＰＲＢの数を示す。
【数３】
0006527530.tif 000004
は、異なるＣＰフォーマットの信号が完全にＴＤＭ方式で同一サブフレーム内に共存している混合サブフレーム内の、長ＣＰ信号と短ＣＰ信号との間のガードバンドが占用するＰＲＢの数を示す。この２つのパラメータは、例えばＤ２Ｄ送信器のレートマッチング等のような対応操作を行いやすいように、ネットワークによってＤ２Ｄ端末へ設定される必要がある。
【００６０】
したがって、基地局は、ＲＲＣシグナリングを用いて、Ｄ２Ｄ端末にその設定されたサブフレームセットを通知するとともに、これらサブフレームセットのＣＰ長を通知する必要がある。そのため、基地局によるサブフレームセット設定方式のシグナリングには、
（１）サブフレームセット１の時間−周波数リソース、および該サブフレームセットのＣＰ設定フォーマットと、
（２）サブフレームセット２の時間−周波数リソース、および該サブフレームセットのＣＰ設定フォーマットと、
（３）長ＣＰ信号、短ＣＰ信号が共存しているサブフレームのサブフレーム番号と、長ＣＰまたは短ＣＰ信号の対応物理リソースブロックの個数およびその位置と、長、短ＣＰ間のガードバンドが占用する物理リソースブロックの数と、長、短ＣＰ信号の絶対的または相対的パワーとを含む。例えば、簡略化された実施例において、規範として、長ＣＰ物理リソースブロック、短ＣＰ物理リソースブロックの相対的な固定位置（例えば、短ＣＰ物理リソースブロックが相対的低周波数位置に、長ＣＰ物理リソースブロックが相対的高周波数位置に存在する）を決めると共に、規範として、長、短ＣＰの位置する物理リソースブロックを周波数領域においてそれぞれ連続させる。また、当該混合サブフレーム内の最後の短ＣＰ物理リソースブロックのシリアルナンバーがネットワークによって設定される。
【００６１】
但し、長ＣＰまたは短ＣＰ信号がＦＤＭ多重化された混合サブフレームは、長、短ＣＰが位置する物理リソースブロックがそれぞれ間隔無く連続している場合には、周波数領域上において、長ＣＰ物理リソースブロックと短ＣＰ物理リソースブロックとの間にサブキャリアの間隔、即ちガードバンドを設ける必要がある。このシグナリングは、基地局から専用ＲＲＣシグナリングの形でＤ２Ｄ端末に送信され、またはＳＩＢメッセージの形でブロードキャストされる。
【００６２】
また、セルラネットワーク信号およびＤ２Ｄ信号の受信信号ダイナミックレンジに対する要求は、それぞれ６０ｄＢまたはそれ以上に達する可能性がある。そのため、セルラネットワーク信号とＤ２Ｄ信号との間、あるいは、異なるユーザ同士間若しくは異なるＤ２Ｄチャネル同士間で、異なるＣＰフォーマットが同一サブフレームに共存していることによる相互干渉に対する、上記周波数領域上のサブキャリア間隔による回避能力は、たとえ比較的広いサブキャリア間隔を用いて隔離を行っても、セルラネットワーク受信信号またはＤ２Ｄ受信信号のダイナミックレンジに対する要求に達することができない可能性がある。そのため、パワー制御メカニズムを付加することがある。つまり、異なるＣＰフォーマットで同一サブフレームに共存している信号の優先度（例えば、セルラネットワーク信号の優先度はＤ２Ｄ信号よりも高い）に応じて、同一サブフレーム内に共存する異なるＣＰフォーマットの信号のパワーを設定する。該シグナリングは、同様に、基地局から専用ＲＲＣシグナリングの形でＤ２Ｄ端末に送信され、またはＳＩＢメッセージの形でブロードキャストされる。
【００６３】
さらに、該実施形態は、三つの設定スキームによって実現できる。一つ目の設定スキームは、該セル内のすべてのＤ２Ｄチャネルを共通的に設定するために用いられ、すなわち、該セルのすべてのチャネルが、サブフレームセット１および混合サブフレーム内の短ＣＰリソースと、サブフレームセット２及混合サブフレーム内の長ＣＰリソースとのうち何れか一方へしか割り当てられない。二つ目の設定スキームは、専ら各Ｄ２Ｄチャネルをについて設定するために用いられ、例えばＤ２Ｄ端末の発見チャネルに、サブフレームセットおよび該サブフレームセットのＣＰフォーマットを設定し、あるいは、Ｄ２Ｄ端末のリソース割り当てチャネル（ＳＡ  Ｃｈａｎｎｅｌ）にサブフレームセットおよび該サブフレームセットのＣＰフォーマットを設定する。三つ目の設定スキームは、該セル内の各ユーザの特定のＤ２ＤチャネルにＣＰフォーマットを１組設定し、すなわち、該セルのユーザのチャネルが、該チャネルのリソースプールのサブフレームセット１および混合サブフレーム内の短ＣＰリソースと、サブフレームセット２および混合サブフレーム内の長ＣＰリソースとのうち何れか一方へしか割り当てられない。また、同一ユーザの同種類のチャネルについて、リソースプールのサブフレームセット１または２にまたがってリソースを割り当てることが許されない。
【００６４】
なお、Ｄ２Ｄ送信器に関しては、その信号送信に用いられるリソースが、上記設定によるサブフレームセットから選択され、同時に、そのＣＰフォーマットが上記設定に完全に従う。
【００６５】
上記設定に関連するＤ２Ｄ送信端末については、その対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。
【００６６】
実施形態２−３は、以下の物理層でのプロセスに関連する。
すなわち、ネットワークが高位層ＲＲＣシグナリング（またはＤＣＩ）を用いて、上述した設定、例えば、長ＣＰのサブフレームセットと、短ＣＰのサブフレームセットと、混合サブフレームのサブフレーム番号およびその対応する混合サブフレーム内設定情報（短ＣＰ（長短ＣＰ）ＰＲＢセット、ガードバンドＰＲＢセット、並びに、短ＣＰ信号ＰＲＢセットおよび長ＣＰ信号ＰＲＢセットのパワー情報等を含む）とを設定してもよい。もちろん、対応する混合サブフレーム設定情報はＲＲＣによって通知され、またはＳＡチャネルで告知される。これらの設定は、Ｄ２Ｄ送信器端末とＤ２Ｄ受信器端末に通知される。
【００６７】
上記設定に関連するＤ２Ｄ送信端末については、対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。つまり、ＣＰフォーマットによって区分されたこれらサブフレームセットについて、Ｄ２Ｄ送信端末でもＤ２Ｄ受信端末でも、そのＤ２Ｄ送受信動作は、対応する当該サブフレームまたはサブフレームセットへ設定されたＣＰフォーマットによって制限される。
【００６８】
＜実施形態２−４＞
該実施形態では、基地局は、Ｄ２Ｄ通信チャネルおよびＤ２Ｄ発見チャネルに、
（１）短ＣＰを用いるサブフレームセット１と、
（２）長ＣＰを用いるサブフレームセット２と、
（３）１つまたは２つの長ＣＰ信号、短ＣＰ信号がＴＤＭ＆ＦＤＭ形式で共存しているサブフレームとを含むサブフレームセットを、セミパーシステント的に設定する。
【００６９】
該実施形態におけるサブフレームの構成は図７の通りである。なお、
【数４】
0006527530.tif 000005
@0004
は、異なるＣＰフォーマットの信号が完全にＴＤＭ方式で同一サブフレーム内に共存している混合サブフレーム内の、最初のＴＤＭシンボルグループにおける短ＣＰ信号のＰＲＢの数を示す。
【数５】
0006527530.tif 000006
は、異なるＣＰフォーマットの信号が完全にＴＤＭ方式で同一サブフレーム内に共存している混合サブフレーム内の、最初のＴＤＭシンボルグループにおける長ＣＰ信号と短ＣＰ信号との間のガードバンドが占用するＰＲＢの数を示す。これによって類推し、
【数６】
0006527530.tif 000007
は、異なるＣＰフォーマットの信号が完全にＴＤＭ方式で同一サブフレーム内に共存している混合サブフレーム内の、第ｎ個のＴＤＭシンボルグループにおける短ＣＰ信号のＰＲＢの数を示す。
【数７】
0006527530.tif 000008
は、異なるＣＰフォーマットの信号が完全にＴＤＭ方式で同一サブフレーム内に共存している混合サブフレーム内の、第ｎ個のＴＤＭシンボルグループにおける長ＣＰ信号と短ＣＰ信号との間のガードバンドが占用するＰＲＢの数を示す。これらのパラメータは、例えばＤ２Ｄ送信器のレートマッチング等のような対応操作を行いやすいように、ネットワークによってＤ２Ｄ端末へ設定される必要がある。
【００７０】
該実施形態２−４では、短ＣＰ信号および長ＣＰ信号がＴＤＭ＆ＦＤＭ形式で共存している混合サブフレームのフォーマットを詳細に定義した。特に、ＴＤＭ＆ＦＤＭ混合サブフレームの各タイムスロット内には、ＴＤＭ多重化されるシンボルが２〜６グループであってもよく、隣接するグループ同士間はＴＤＭ方式で区切られ、各シンボルグループ内の異なるＣＰフォーマットの信号がＦＤＭ方式で多重化されてもよい。なお、ＴＤＭシンボルグループが２グループである場合、２つのグループの間には必ずグループ間の間隔領域（ｉｎｔｅｒ−ｓｙｍｂｏｌｓ  Ｇａｐ）が１つ存在する。また、ＴＤＭシンボルグループが２グループを超える場合、各ＴＤＭ＆ＦＤＭ混合サブフレームの各タイムスロット内には、ＴＤＭシンボルグループ同士間にグループ間の間隔領域（ｉｎｔｅｒ−ｓｙｍｂｏｌｓ  Ｇａｐ）が少なくとも１つ存在する。ただし、すべての隣接グループ同士間に必ずしもグループ間の間隔領域が存在する必要がない。該間隔領域は周波数領域上において周波数帯全体を占めている。
【００７１】
また、ＴＤＭ＆ＦＤＭ混合サブフレーム内においてタイムスロットごとにシンボルグループを分ける時に各タイムスロット内においてＴＤＭ多重化される２〜６グループのＴＤＭ多重化シンボルグループと、混合サブフレーム内においてサブフレームごとにシンボルグループを分ける時に各サブフレーム内においてＴＤＭ多重化される２〜１３グループのＴＤＭ多重化シンボルグループとについて、それぞれのグループ内には、二種類のＣＰフォーマットのＳＣ−ＦＤＭＡ／ＯＦＤＭ信号に対するＦＤＭ多重化が存在することがある。このＦＤＭ多重化される、二種類のＣＰフォーマットのＳＣ−ＦＤＭＡ／ＯＦＤＭ信号は、時間領域上のサンプリングポイントの長さが異なることがある。つまり、ＴＤＭ方式で互いに離間する各ＳＣ−ＦＤＭＡ／ＯＦＤＭシンボルグループ内には、ＦＤＭ多重化される、二種類のＣＰフォーマットのＳＣ−ＦＤＭＡ／ＯＦＤＭ信号が時間的に一致しない可能性がある。つまり、図７において、図７に示されたＴＤＭ＆ＦＤＭ混合サブフレームは、ＴＤＭ多重化されるグループ同士のうちのＳＣ−ＦＤＭＡ／ＯＦＤＭ符号グループ内では、ＦＤＭ形式で多重化されるＮｏｒｍａｌ  ＣＰ  ＰＲＢｓとＥｘｔｅｎｄｅｄ  ＣＰ  ＰＲＢｓとで、そのサンプリングポイントの数が一致していない。この両者のうち長いほうの持続時間範囲内において、（Ｉ）時間領域的に長いほうの信号が正常に通信されて短いほうが送信されていない時間区間（その持続時間は両者の差分である）となり、且つ（ＩＩ）周波数領域的に短いほうの位置する周波数領域となるような時間−周波数リソースは、如何なる信号も送信されない。但し、周波数領域においては、該間隔領域は、当該ＴＤＭシンボルグループ内の、時間領域的に短いほうが占用する周波数帯を占めている。
【００７２】
そのため、ＴＤＭシンボルグループ内の不一致によって空きになる時間−周波数リソース（該間隔領域は、周波数領域において、図８に示された領域丸１のように、該ＴＤＭシンボルグループ内の時間領域的に短いほうの占用する周波数帯を占める。）、およびグループ同士間に存在し得る間隔領域（該間隔領域は、周波数領域において、図８に示された区域丸２のように周波数帯全体を占める。）は、共同で、ＴＤＭ＆ＦＤＭ混合サブフレーム内の信号送信不能な空白リソースを構成する。
【００７３】
したがって、基地局は、ＲＲＣシグナリングを用い、Ｄ２Ｄ端末にその設定されたサブフレームセットを通知するとともに、該サブフレームセットのＣＰ長および各混合サブフレームの設定を通知する必要がある。そのため、基地局によるサブフレームセット設定方式のシグナリングには、
（１）サブフレームセット１の時間−周波数リソース、および該サブフレームセットのＣＰ設定フォーマットと、
（２）サブフレームセット２の時間−周波数リソース、および該サブフレームセットのＣＰ設定フォーマットと、
（３）長ＣＰ、短ＣＰ信号が共存しているサブフレームのサブフレーム番号と、対応する各ＴＤＭシンボルグループと、該シンボルグループ内のＦＤＭ多重化される長ＣＰまたは短ＣＰ信号のサブキャリアの数およびその対応位置と、該シンボルグループの継続時間範囲内において長、短ＣＰ間のガードバンドが占用するサブキャリアの数と、長、短ＣＰ信号の絶対的または相対的パワーとを含む。例えば、簡略化された実施例において、規範として、各ＴＤＭシンボルグループ内の長ＣＰサブキャリアセット、短ＣＰサブキャリアセットの相対的な固定位置（例えば、短ＣＰサブキャリアセットが相対的低周波数位置に、長ＣＰサブキャリアセットが相対的高周波数位置に存在する）を決めると共に、規範として、各シンボルグループの持続時間範囲内の、長、短ＣＰが位置するサブキャリアセットを周波数領域においてそれぞれ連続させる。また、当該混合サブフレーム内の各ＴＤＭシンボルグループ内の最後の短ＣＰサブキャリアセットの番号がネットワークによって設定される。また、長ＣＰまたは短ＣＰ信号が共存している混合サブフレームに対し、規範として、該混合サブフレーム内の長ＣＰシンボル、短ＣＰシンボルの相対的な固定位置（例えば、短ＣＰシンボルが前に、長ＣＰシンボルが後に存在する）の決定について、短ＣＰシンボルの直後に、短ＣＰおよび長ＣＰがＦＤＭ方式で多重化される混合シンボルが存在する。さらに、該混合シンボルは、規範として、長、短ＣＰの位置するサブキャリアセットを周波数領域においてそれぞれ連続させる。さらに、該混合シンボルのうち最後の短ＣＰサブキャリアセットのシリアルナンバーがネットワークによって設定される。
【００７４】
但し、長ＣＰまたは短ＣＰ信号がＴＤＭ＆ＦＤＭ多重化される混合サブフレーム内の混合シンボルのうち、長、短ＣＰが位置するサブキャリアセットがそれぞれ間隔無く連続している場合には、周波数領域上において、長ＣＰサブキャリアセットと短ＣＰサブキャリアセットとの間にサブキャリアの間隔、即ちガードバンドを若干、設ける必要がある。
【００７５】
このシグナリングは、基地局から専用ＲＲＣシグナリングの形でＤ２Ｄ端末に送信され、またはＳＩＢメッセージの形でブロードキャストされる。
【００７６】
また、セルラネットワーク信号およびＤ２Ｄ信号の受信信号ダイナミックレンジに対する要求は、それぞれ６０ｄＢまたはそれ以上に達する可能性がある。そのため、セルラネットワーク信号とＤ２Ｄ信号との間、あるいは、異なるユーザ同士間若しくは異なるＤ２Ｄチャネル同士間で、異なるＣＰフォーマットが同一サブフレームに共存していることによる相互干渉に対する、上記周波数領域上のサブキャリア間隔による回避能力は、たとえ比較的広いサブキャリア間隔を用いて隔離を行っても、セルラネットワーク受信信号またはＤ２Ｄ受信信号のダイナミックレンジに対する要求に達することができない可能性がある。そのため、パワー制御メカニズムを付加することがある。つまり、異なるＣＰフォーマットで同一サブフレームに共存している信号の優先度（例えば、セルラネットワーク信号の優先度はＤ２Ｄ信号よりも高い）に応じて、同一符号グループ内に共存する異なるＣＰフォーマットの信号のパワーを設定する。該シグナリングは、同様に、基地局から専用ＲＲＣシグナリングの形でＤ２Ｄ端末に送信され、またはＳＩＢメッセージの形でブロードキャストされる。
【００７７】
また、該実施形態は、三つの設定スキームによって実現できる。一つ目の設定スキームは、該セル内のすべてのＤ２Ｄチャネルを共通的に設定するために用いられ、すなわち、該セルのすべてのチャネルが、サブフレームセット１および混合サブフレーム内の短ＣＰリソースと、サブフレームセット２及混合サブフレーム内の長ＣＰリソースとのうち何れか一方へしか割り当てられない。二つ目の設定スキームは、専ら各Ｄ２Ｄチャネルについて設定するために用いられ、例えばＤ２Ｄ端末の発見チャネルに、サブフレームセットおよび該サブフレームセットのＣＰフォーマットを設定し、あるいは、Ｄ２Ｄ端末のリソース割り当てチャネル（ＳＡ  Ｃｈａｎｎｅｌ）にサブフレームセットおよび該サブフレームセットのＣＰフォーマットを設定する。三つ目の設定スキームは、該セル内の各ユーザの特定のＤ２ＤチャネルにＣＰフォーマットを１組設定し、すなわち、該セルのユーザのチャネルが、該チャネルのリソースプールのサブフレームセット１および混合サブフレーム内の短ＣＰリソースと、サブフレームセット２および混合サブフレーム内の長ＣＰリソースとのうち何れか一方へしか割り当てられない。また、同一ユーザの同種類のチャネルについて、リソースプールのサブフレームセット１または２にまたがってリソースを割り当てることが許されない。
【００７８】
なお、Ｄ２Ｄ送信器に関しては、その信号送信に用いられるリソースが、上記設定によるサブフレームセットから選択され、同時に、そのＣＰフォーマットが上記設定に完全に従う。
【００７９】
上記設定に関連するＤ２Ｄ送信端末については、その対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。
【００８０】
実施形態２−４は、以下の物理層でのプロセスに関連する。
すなわち、ネットワークが、高位層ＲＲＣシグナリング（または、ＤＣＩによって設定された一部のシグナリング）を用いて、上述した設定、例えば、長ＣＰのサブフレームセットと、短ＣＰのサブフレームセットと、混合サブフレームのサブフレーム番号と、対応する混合サブフレーム内設定情報（長ＣＰ（または短ＣＰ）シンボルセット、並びに、混合サブフレーム内の混合シンボルに関する時間−周波数リソースおよびパワー情報等を含む。該時間−周波数リソースは、長ＣＰ（または短ＣＰ）シンボルセットと、混合サブフレーム内の混合シンボルのうち短ＣＰ信号（または長ＣＰ信号）ＰＲＢセットと、ガードバンドＰＲＢセットとを含む。）を設定してもよい。もちろん、対応する混合サブフレーム設定情報はＲＲＣによって通知され、またはＳＡチャネルで告知される。これらの設定は、Ｄ２Ｄ送信器端末とＤ２Ｄ受信器端末に通知される。
【００８１】
上記設定に関連するＤ２Ｄ送信端末については、その対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。つまり、ＣＰフォーマットによって区分されたこれらサブフレームセットについて、Ｄ２Ｄ送信端末でもＤ２Ｄ受信端末でも、そのＤ２Ｄ送受信動作は、対応する当該サブフレームまたはサブフレームセットへ設定されたＣＰフォーマットによって制限される。
【００８２】
＜実施形態２−５＞
基地局は、Ｄ２Ｄ通信チャネルおよびＤ２Ｄ発見チャネルに、
（１）短ＣＰを用いる時間−周波数物理リソースセットと、
（２）長ＣＰを用いる時間−周波数物理リソースセットとを含む時間−周波数物理リソースセットを、セミパーシステント的に設定する。
【００８３】
したがって、基地局は、ＲＲＣシグナリングを用いて、Ｄ２Ｄ端末にその設定された時間−周波数物理リソースセットを通知するとともに、該時間−周波数物理リソースセットのＣＰ長を通知する必要がある。そのため、基地局からの時間−周波数物理リソースセット設定方式のシグナリングには、
（１）時間−周波数物理リソースセット１の時間−周波数リソース、および該時間−周波数物理リソースセットのＣＰ設定フォーマットと、
（２）時間−周波数物理リソースセット２の時間−周波数リソース、および該時間−周波数物理リソースセットのＣＰ設定フォーマットとを含む。
【００８４】
図９には、該実施形態において使用される、２種類のＣＰフォーマットの時間−周波数物理リソースセット設定について、それぞれのＣＰフォーマットのサブフレームセット内のサブフレームの形態、および短ＣＰと長ＣＰ信号とが共存している混合サブフレームの形態が示されている。
【００８５】
図９は、時間−周波数物理リソースセット別でＣＰフォーマットのサブフレームとＰＲＢの形態とを設定するスキーム２−５を示す図である。ＴＤＭ多重化のシンボルグループは、混合サブフレームの各タイムスロット内においてグループ分けされ、または各混合サブフレーム内においてグループ分けされる。混合サブフレームの各タイムスロット内においてグループ分けされる場合、各ＴＤＭ＆ＦＤＭ混合サブフレームの各タイムスロット内の、ＴＤＭ多重化されるシンボルは２〜６グループ（便宜のため、図には２グループのみが描かれている）である。混合サブフレーム内においてグループ分けされる場合、各ＴＤＭ＆ＦＤＭ混合サブフレーム内のＴＤＭ多重化されるシンボルは２〜１３グループである。以上の何れの場合でも、隣接するグループ同士間がＴＤＭ方式で区切られ、各シンボルグループ内の異なるＣＰフォーマットの信号がＦＤＭ方式で多重化されてもよい。時間−周波数物理リソースセット別でＣＰフォーマットを設定するこの設定モードは、長、短ＣＰが共存している場合のＰＲＢの組合せ方式は任意である。つまり、長、短ＣＰの共存は、スキーム２−１、スキーム２−２、スキーム２−３、またはスキーム２−４のうち何れかのサブフレーム設定スキームにおける共存であってもよい。言い換えれば、該スキームでは、時間−周波数物理リソースセットのうち短ＣＰ（または長ＣＰ）時間−周波数物理リソースセットが位置しているサブフレームは、スキーム２−１、スキーム２−２、スキーム２−３、スキーム２−４の何れかにおけるサブフレームであってもよい。
【００８６】
また、該設定モードでは、短ＣＰ、長ＣＰ信号が共存している各混合サブフレーム内において、短ＣＰ信号と長ＣＰ信号は、ＴＤＭ形式で共存してもよく、ＦＤＭ形式で共存してもよく、またはＴＤＭ＆ＦＤＭ形式で共存してもよい。
【００８７】
短ＣＰ信号および長ＣＰ信号がＴＤＭ形式で共存してもよい混合サブフレームの形態は、すでにスキーム２−２で詳しく説明された通りである。
【００８８】
また、短ＣＰ信号および長ＣＰ信号がＦＤＭ形式で共存してもよい混合サブフレームの形態は、すでにスキーム２−３で詳しく説明された通りである。
【００８９】
また、短ＣＰ信号および長ＣＰ信号がＴＤＭ＆ＦＤＭ形式で共存してもよい混合サブフレームの形態は、すでにスキーム２−４で詳しく説明された通りである。特に、ＴＤＭ＆ＦＤＭ混合サブフレームの各タイムスロット内には、ＴＤＭ多重化されるシンボルが２〜６グループであってもよく、隣接するグループ同士間はＴＤＭ方式で区切られ、各シンボルグループ内の異なるＣＰフォーマットの信号がＦＤＭ方式で多重化されてもよい。なお、ＴＤＭシンボルグループが２グループである場合、２つのグループの間には必ずグループ間の間隔領域（ｉｎｔｅｒ−ｓｙｍｂｏｌｓ  Ｇａｐ）が１つ存在する。また、ＴＤＭシンボルグループが２グループを超える場合、各ＴＤＭ＆ＦＤＭ混合サブフレームの各タイムスロット内には、ＴＤＭシンボルグループ同士間にグループ間の間隔領域（ｉｎｔｅｒ−ｓｙｍｂｏｌｓ  Ｇａｐ）が少なくとも１つ存在する。ただし、すべての隣接グループ同士間に必ずしもグループ間の間隔領域が存在する必要がない。該間隔領域は周波数領域上において周波数帯全体を占めている。
【００９０】
また、ＴＤＭ＆ＦＤＭ混合サブフレーム内においてタイムスロットごとにシンボルグループを分ける際に各タイムスロット内においてＴＤＭ多重化される２〜６グループのＴＤＭ多重化シンボルグループと、混合サブフレーム内においてサブフレームごとにシンボルグループを分ける時に各サブフレーム内においてＴＤＭ多重化される２〜１３グループのＴＤＭ多重化シンボルグループとについて、それぞれのグループ内には、二種類のＣＰフォーマットのＳＣ−ＦＤＭＡ／ＯＦＤＭ信号に対するＦＤＭ多重化が存在することがある。このＦＤＭ多重化される、二種類のＣＰフォーマットのＳＣ−ＦＤＭＡ／ＯＦＤＭ信号は、時間領域上のサンプリングポイントの長さが異なることがある。つまり、ＴＤＭ方式で互いに離間する各ＳＣ−ＦＤＭＡ／ＯＦＤＭシンボルグループ内には、ＦＤＭ多重化される、二種類のＣＰフォーマットのＳＣ−ＦＤＭＡ／ＯＦＤＭ信号が時間的に一致しない可能性がある。つまり、図９において、図９に示されたＴＤＭ＆ＦＤＭ混合サブフレームは、ＴＤＭ多重化されるグループ同士のうちのＳＣ−ＦＤＭＡ／ＯＦＤＭシンボルグループ内では、ＦＤＭ形式で多重化されるＮｏｒｍａｌ  ＣＰ  ＰＲＢｓとＥｘｔｅｎｄｅｄ  ＣＰ  ＰＲＢｓとで、そのサンプリングポイントの数が一致していない。この両者のうち長いほうの持続時間範囲内において、（Ｉ）時間領域的に長いほうの信号が正常に通信されて短いほうが送信されていない時間区間（その持続時間は両者の差分である）となり、且つ（ＩＩ）周波数領域的に短いほうの位置する周波数領域となるような時間−周波数リソースは、如何なる信号も送信されない。但し、周波数領域においては、該間隔領域は、当該ＴＤＭシンボルグループ内の、時間領域的に短いほうが占用する周波数帯を占めている。
【００９１】
そのため、ＴＤＭシンボルグループ内の不一致によって空きになる時間−周波数リソース（該間隔領域は、周波数領域において、図８に示された区域丸１のように、該ＴＤＭシンボルグループ内の時間領域的に短いほうが占用する周波数帯を占める。）、およびグループ同士間に存在し得る間隔領域（該間隔領域は、周波数領域において、図８に示された区域丸２のように周波数帯全体を占める。）は、共同で、ＴＤＭ＆ＦＤＭ混合サブフレーム内の信号送信不能な空白リソースを構成する。
【００９２】
基地局からの時間−周波数物理リソースセット設定方式のシグナリングは、上記（１）、（２）の何れか一方、または両方であってもよい。
【００９３】
該シグナリングは、基地局から専用ＲＲＣシグナリングの形でＤ２Ｄ端末に送信され、またはＳＩＢメッセージの形でブロードキャストされる。
【００９４】
規格として該実施形態を規格化する場合、シグナリングのオーバヘッドを低減させるために、上記各ＴＤＭシンボルグループ内においてＦＤＭ方式で多重化される異なるＣＰフォーマットの信号が、時間的に左揃いと右揃いのどちらであるかを確定する必要があり、また、規範として、長ＣＰフォーマットの信号と短ＣＰフォーマットの信号とのどちらが長いかを規定する必要がある。そこで、該スキームの時間領域情報について、シグナリングを用いて各ＴＤＭシンボルグループ内の長ＣＰ信号（または短ＣＰ信号）のシンボル数を通知すればよい。また、該スキームの周波数領域について、シグナリングのオーバヘッドを低減させるために、長ＣＰフォーマットの信号および短ＣＰフォーマットの周波数帯上の相対的な位置と、ガードバンドの開始周波数領域位置およびその帯域幅を確定する必要がある。そこで、シグナリングを用いて、各ＴＤＭシンボルグループ内の長ＣＰ信号（または短ＣＰ信号）の帯域幅、およびガードバンドの帯域幅を通知すればよい。
【００９５】
また、該実施形態は、三つの設定スキームによって実現できる。一つ目の設定スキームは、本セル内のすべてのＤ２Ｄチャネルを共通的に設定するために用いられ、すなわち、各チャネルのそれぞれに、時間−周波数物理リソースブロックセット１および時間−周波数物理リソースブロックセット２の何れか一方しか割り当てられない。二つ目の設定スキームは、例えば、本セルのすべてのＤ２Ｄ端末の発見チャネルに、時間−周波数物理リソースブロックセットおよび該時間−周波数物理リソースブロックセットのＣＰフォーマットを設定し、あるいは、本セルのすべてのＤ２Ｄ端末のリソース割り当てチャネル（ＳＡ  Ｃｈａｎｎｅｌ）に、時間−周波数物理リソースブロックセットおよび該時間−周波数物理リソースブロックセットのＣＰフォーマットを設定し、あるいは、本セルのすべてのＤ２Ｄ携帯電話のＤ２Ｄ伝送チャネルに、時間−周波数物理リソースブロックセットおよび該時間−周波数物理リソースブロックセットのＣＰフォーマットを設定するなど、専ら本セル内のすべてのＤ２Ｄ端末の各Ｄ２Ｄチャネルについて設定するために用いられる。三つ目の設定スキームは、専ら本セル内の各Ｄ２Ｄ端末の各Ｄ２Ｄチャネルについて設定するために用いられ、例えば、本セルのＤ２Ｄ端末の発見チャネルに、サブフレームセットおよび該サブフレームセットのＣＰフォーマットを設定し、あるいは、本セルのＤ２Ｄ端末のリソース割り当てチャネル（ＳＡ  Ｃｈａｎｎｅｌ）に、サブフレームセットおよび該サブフレームセットのＣＰフォーマットを設定し、あるいは、本セルのＤ２Ｄ携帯電話のＤ２Ｄ伝送チャネルに、時間−周波数物理リソースブロックセットおよび該時間−周波数物理リソースブロックセットのＣＰフォーマットを設定する。つまり、１つのＤ２Ｄ端末のＤ２Ｄチャネルが、当該セル内の該Ｄ２Ｄチャネルにおける、異なる二種類のＣＰフォーマットのリソースプールの何れか一方へしか設定されない。また、１つのＤ２Ｄ端末のＤ２Ｄチャネルが、異なるＣＰフォーマットのリソースプールに同時にまたがって搬送されることは許されない。
【００９６】
なお、Ｄ２Ｄ送信器に関しては、その信号送信に用いられるリソースが、上記設定による時間−周波数物理リソースセットから選択され、同時に、そのＣＰフォーマットが上記設定に完全に従う。
【００９７】
上記設定に関連するＤ２Ｄ送信端末については、その対応する時間−周波数物理リソースブロックセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。
【００９８】
実施形態２−５は、以下の物理層でのプロセスに関連する。
すなわち、ネットワークが、高位層シグナリングを用いて、長ＣＰのサブフレームセットと、短ＣＰのサブフレームセットと、混合サブフレームのサブフレーム番号およびその対応する混合サブフレーム設定情報（長ＣＰ（または短ＣＰ）シンボルセット、並びに、混合サブフレーム内の混合シンボルに関する時間−周波数リソースおよびパワー情報等を含む。該時間−周波数リソースは、長ＣＰ（または短ＣＰ）シンボルセットと、混合サブフレーム内の混合シンボルのうち、短ＣＰ信号ＰＲＢセットおよび長ＣＰ信号ＰＲＢセットと、ガードバンドＰＲＢセットとを含む。）と、を含む上述した設定を行ってもよい。もちろん、対応する混合サブフレーム設定情報は、ＲＲＣによって通知される他、ＳＡチャネルで告知されてもよい。これらの設定は、Ｄ２Ｄ送信器端末とＤ２Ｄ受信器端末に通知される。
【００９９】
上記設定に関連するＤ２Ｄ送信端末については、その対応するサブフレームセット上で送信されるＤ２Ｄ信号に、ネットワークによって設定されたＣＰフォーマットが用いられる。上記設定に関連するＤ２Ｄ受信端末については、ネットワーク通知から得られたＣＰフォーマットを用い、対応する受信信号検出処理を行う。
【０１００】
以上をまとめると、本発明は、デバイス・トゥ・デバイス（Ｄ２Ｄ）通信のリソースに対してＣＰ設定を行い図１０に示されたステップを含む方法を提供する。具体的には、ステップＳ９１０では、基地局は異なるリソースサブセットに対して、長ＣＰ信号フォーマットおよび短ＣＰ信号フォーマットを含むＣＰフォーマットを設定する。ステップＳ９２０では、基地局はＤ２Ｄ送信機器とＤ２Ｄ受信機器に上記設定を通知する。基地局がＤ２Ｄ送信機器およびＤ２Ｄ受信機器に通知する設定は、Ｄ２Ｄ送信機器のＤ２Ｄ発見チャネルのリソースプールに用いるＣＰフォーマット設定と、Ｄ２Ｄ送信機器のＤ２Ｄ通信チャネルのリソースプールに用いるＣＰフォーマット設定とを含む。また、上記Ｄ２Ｄ送信機器と上記Ｄ２Ｄ受信機器は、上記リソースサブセットにおいて、上記設定に合致するＣＰフォーマットで送受信を行う。
【０１０１】
図１１は対応する基地局１０００を示しているフレーム図である。図示したように、基地局１０００は、高位層シグナリングを用いて、Ｄ２Ｄ発見チャネルのリソースプールおよび／またはＤ２Ｄ通信チャネルのリソースプールを含むリソースプールのサイクリックプレフィックス（ＣＰ：Ｃｙｃｌｉｃ  Ｐｒｅｆｉｘ）フォーマットを送信する送信ユニット１０１０を含む。上記ＣＰフォーマットは長ＣＰ信号フォーマットと短ＣＰ信号フォーマットを含んでもよい。
【０１０２】
以上、本発明の好ましい実施例に基づき本発明を説明したが、本発明の精神および範囲を逸脱しない限り、本発明に対して種々の改良、置換および変更を行うことが可能であることが、当業者に理解される。したがって、本発明は、上記の実施形態に限定されず、添付される特許請求の範囲およびその均等的ものにより限定されるべきである。
【図面の簡単な説明】
【０１０３】
【図１】基地局が当該セル内のすべてのユーザのＤ２Ｄチャネルへ特定のＣＰフォーマットのリソースプールを割り当てる本発明のスキーム１−１に係るサブフレームの模式図である。
【図２】基地局が当該セル内の何らかのユーザのＤ２Ｄチャネルへ特定のＣＰフォーマットのリソースプールを割り当てる本発明のスキーム１−２に係るサブフレームの模式図である。
【図３】サブフレームセット別でＣＰフォーマットを設定する本発明のスキーム２−１に係るサブフレームの模式図であり、各ＣＰフォーマットのサブフレームセットにおけるサブフレームが連続している。
【図４】サブフレームセット別でＣＰフォーマットを設定する本発明のスキーム２−１に係るサブフレームの模式図であり、各ＣＰフォーマットのサブフレームセットにおけるサブフレームが連続していない。
【図５】サブフレームセット別でＣＰフォーマットを設定する本発明のスキーム２−２に係るサブフレームの模式図である。
【図６】サブフレームセット別でＣＰフォーマットを設定する本発明のスキーム２−３に係るサブフレームの模式図である。
【図７】サブフレームセット別でＣＰフォーマットを設定する本発明のスキーム２−４に係るサブフレームの模式図であり、混合サブフレームにはシンボルグループが２つ含まれる。
【図８】サブフレームセット別でＣＰフォーマットを設定する本発明のスキーム２−４に係るサブフレームの模式図であり、混合サブフレームにはシンボルグループが５つ含まれる。
【図９】時間−周波数物理リソースセット別でＣＰフォーマットのサブフレームとＰＲＢの形態とを設定する本発明のスキーム２−５を示す図である。
【図１０】デバイス・トゥ・デバイス（Ｄ２Ｄ）通信のリソースについてＣＰ設定を行う本発明に係る方法を示すフローチャートである。
【図１１】本発明に係る基地局の構成を示しているイメージ図である。
【図１】
0006527530.tif 000009
【図２】
0006527530.tif 000010
【図３】
0006527530.tif 000011
【図４】
0006527530.tif 000012
【図５】
0006527530.tif 000013
【図６】
0006527530.tif 000014
【図７】
0006527530.tif 000015
【図８】
0006527530.tif 000016
【図９】
0006527530.tif 000017
【図１０】
0006527530.tif 000018
【図１１】
0006527530.tif 000019